(57)【要約】      （修正有）【課題】架台を地盤に固定するためのアングル杭の打設作業や太陽光パネルを支持する架台用支持管の垂直性を確保する作業を迅速且つ容易に進めることができ、軟弱地盤に対する対策が施された太陽光パネル用架台を提供する。【解決手段】地盤Ｇに打ち込んだポイント杭３にさや管付プレート１の杭穴３ａを挿通することによって地盤上に位置決めされたさや管付プレートのさや管５の内部にガイドローラ付ゲージプレートの垂直支持管を挿通し、各アングル杭７をガイドローラ付ゲージプレートのガイドホールから左右のガイドローラ間を経てさや管付プレートのルーズホールに挿通すると共に、各アングル杭の垂直性を確保した状態で各アングル杭を途中まで打設し、ガイドローラ付ゲージプレートを取り除いた後、各アングル杭をさらに打設した状態で各アングル杭の上部を各Ｌ型金物８に固定するようにした。【選択図】図５
0003191984.tif 000002
【実用新案登録請求の範囲】
【請求項１】
地盤に打ち込んだアングル杭で固定されると共に架台用支持管を立設状態に支持するさや管付プレートとアングル杭を地盤に打ち込む際の案内をするガイドローラ付ゲージプレートとを備え、
さや管付プレートは、地盤に打ち込んだポイント杭を挿通する杭穴を形成したプレートの中央に架台用支持管を立設するさや管を固定し、地盤に打設するアングル杭を遊びを有した状態で挿通するルーズホールをプレートの面内の複数個所に形成すると共に、各ルーズホールに沿って地盤に打ち込んだアングル杭の上部を固定するＬ型金物を設けた構成を有し、
ガイドローラ付ゲージプレートは、中央に垂直支持管を立設したプレートの面内の複数個所にアングル杭を挿通するガイドホールを形成すると共に、各ガイドホールの左右に沿って上下の垂直位置に配した回転自在のガイドローラ間にアングル杭を挿通する際のアングル杭の垂直性を保持するガイドローラ付ゲージを構成してなることを特徴とする太陽光パネル用架台。
【請求項２】
地盤に打ち込んだポイント杭にさや管付プレートの杭穴を挿通することによって地盤上に位置決めされたさや管付プレートのさや管の内部にガイドローラ付ゲージプレートの垂直支持管を挿通して立設し、各アングル杭をガイドローラ付ゲージプレートのガイドホールから左右のガイドローラ間を経てさや管付プレートのルーズホールに挿通すると共に、各アングル杭の垂直性を確保した状態で各アングル杭を途中まで打設し、ガイドローラ付ゲージプレートを取り除いた後、各アングル杭をさらに打設した状態で各アングル杭の上部を各Ｌ型金物に固定するようにしたことを特徴とする請求項１記載の太陽光パネル用架台。
【請求項３】
アングル杭は、断面Ｌ字形のアングル材により形成されると共に、下端が剣先形状に形成されていることを特徴とする請求項１又は２記載の太陽光パネル用架台。
【請求項４】
アングル杭は、地盤の軟弱性に応じて長さを可変としたことを特徴とする請求項１、２又は３記載の太陽光パネル用架台。
【考案の詳細な説明】
【技術分野】
【０００１】
本考案は、太陽光パネルを設置する架台を地盤に固定する構造としてアングル杭を用いるようにした太陽光パネル用架台に関する。
【背景技術】
【０００２】
従来、太陽光パネルを設置する際、地盤に、例えばスパイラル杭を打設して基礎を構築し、このスパイラル杭の上部に架台を設けることによって、太陽光パネルを設置する方法が採用されていた。
【０００３】
その例として、特許文献１に記載されている太陽光パネル架台の設置構造は、地盤に埋め込まれた基礎杭の上部に形成される支柱を備え、この支柱を構成する筒状枠体内に投入するコンクリート及び砕石により基礎杭の内部で位置決めされた心材を固定し、心材の上部に太陽光パネルの架台を設けるようにしたものである。
【０００４】
しかしながら、上記のように構成された太陽光パネル架台は、施工に際して基礎杭を埋設するための掘削作業や、コンクリート及び砕石の投入等の面倒な作業が必要であり、作業コストの高騰を引き起こす原因となっていた。
【０００５】
特に、広面積の地盤上に多数枚の太陽光パネルを設置する場合、作業を迅速に進めるためには、個々の太陽光パネル用架台を迅速且つ容易に構築する必要がある。さらには、上記のような太陽光パネルの施工には、軟弱地盤の対策、支柱の垂直性、工事の迅速性且つ容易性等が課題となり、これらを満足する太陽光パネル用架台の実現が求められていた。
【先行技術文献】
【特許文献】
【０００６】
【特許文献１】特開２０１４−３７７２２号公報
【考案の概要】
【考案が解決しようとする課題】
【０００７】
本考案は、上記の事情に鑑みてなされたものであり、架台を地盤に固定するためのアングル杭の打設作業や太陽光パネルを支持する架台用支持管の垂直性を確保する作業を迅速且つ容易に進めることができ、しかも軟弱地盤に対する対策が施された構造の太陽光パネル用架台を提供することを目的とする。
【課題を解決するための手段】
【０００８】
上記の目的を達成するために、本考案の請求項１の太陽光パネル用架台は、地盤に打ち込んだアングル杭で固定されると共に架台用支持管を立設状態に支持するさや管付プレートとアングル杭を地盤に打ち込む際の案内をするガイドローラ付ゲージプレートとを備え、さや管付プレートは、地盤に打ち込んだポイント杭を挿通する杭穴を形成したプレートの中央に架台用支持管を立設するさや管を固定し、地盤に打設するアングル杭を遊びを有した状態で挿通するルーズホールをプレートの面内の複数個所に形成すると共に、各ルーズホールに沿って地盤に打ち込んだアングル杭の上部を固定するＬ型金物を設けた構成を有し、ガイドローラ付ゲージプレートは、中央に垂直支持管を立設したプレートの面内の複数個所にアングル杭を挿通するガイドホールを形成すると共に、各ガイドホールの左右に沿って上下の垂直位置に配した回転自在のガイドローラ間にアングル杭を挿通する際のアングル杭の垂直性を保持するガイドローラ付ゲージを構成してなることを特徴とする。
【０００９】
また、本考案における請求項２の太陽光パネル用架台は、請求項１において、地盤に打ち込んだポイント杭にさや管付プレートの杭穴を挿通することによって地盤上に位置決めされたさや管付プレートのさや管の内部にガイドローラ付ゲージプレートの垂直支持管を挿通して立設し、各アングル杭をガイドローラ付ゲージプレートのガイドホールから左右のガイドローラ間を経てさや管付プレートのルーズホールに挿通すると共に、各アングル杭の垂直性を確保した状態で各アングル杭を途中まで打設し、ガイドローラ付ゲージプレートを取り除いた後、各アングル杭をさらに打設した状態で各アングル杭の上部を各Ｌ型金物に固定するようにしたことを特徴とする。
【００１０】
また、本考案における請求項３の太陽光パネル用架台は、請求項１又は２において、アングル杭は、断面Ｌ字形のアングル材により形成されると共に、下端が剣先形状に形成されていることを特徴とする。
【００１１】
さらに、本考案における請求項４の太陽光パネル用架台は、請求項１、２又は３において、アングル杭は、地盤の軟弱性に応じて長さを可変としたことを特徴とする。
【考案の効果】
【００１２】
本考案の太陽光パネル用架台によれば、まず、現場における測定によって特定した位置にポイント杭を打ち込むことによって容易に位置決めすることができ、打設したポイント杭にさや管付プレートの杭穴を挿入するだけで、さや管付プレートを正確な位置に設置することが可能となる。
【００１３】
さらに、さや管付プレートをアングル杭で固定する際には、上記のように地盤上に位置決めされたさや管付プレートのさや管の内部にガイドローラ付ゲージプレートの垂直支持管を挿通しておき、ガイドローラ付ゲージの左右のガイドローラを案内として用いることにより、各アングル杭を垂直に地盤に打設することが可能となる。従って、このようなアングル杭を打ち込む際には、例えば単管パイプ用打込み機を用いることによって、容易にアングル杭を地盤に打設することが可能であり、大型の重機が不要となる。
【００１４】
また、上記のアングル杭の下端を剣先のような形状にすることによって、打ち込み易さを向上することが可能である。さらに、上記のアングル杭は、アングル材の長さを調整したり、アングル材を連結することによって長尺のアングル杭を形成し、地盤の軟質状況に応じて、それらのアングル杭の打込み深さを調整することにより、軟質地盤に対しても堅固な架台を構築することが可能となる。
【００１５】
さらに、さや管付プレートを取り付けた後、さや管に挿入した架台用支持管の垂直性や高さをボルト締めによって調整することが可能である。また、さや管と架台用支持管の隙間にグラウト材を充填することによって、架台用支持管とさや管とを一体化させ、次の作業に即座に移行することが可能となる。
【００１６】
また、本考案によれば、ガイドローラ付ゲージプレートやさや管付プレートの形状として、使用用途に応じて円形プレートや長方形プレートの使い分けを行ない、各プレートに固定するさや管の数を調整することによって、太陽光パネルのほかに、接続箱等を２本の支持管で支持する構造や照明灯を１本の支持管で支持する構造に利用することも可能である。
【００１７】
また、上記の本考案による太陽光パネル用架台は、土壌の掘り起こしを行うことなく設置が可能であるため、残土の処理等の手間や処理費用が不要である。さらに、本考案による太陽光パネル用架台は、撤去が簡単であり、撤去後は、リサイクル品としての使用も可能である。また、グラウト材を有するさや管付プレートのみが産業廃棄物の対象となり、全体としては、産業廃棄物の占める率が少ないものとなる。
【図面の簡単な説明】
【００１８】
【図１】(ａ)は本考案による実施例に使用するさや管付プレートの上面図であり、(ｂ)は側面図である。
【図２】(ａ)は本考案による実施例に使用するガイドローラ付ゲージプレートの上面図であり、(ｂ)は側面図である。
【図３】(ａ)は本考案による実施例に使用するガイドローラ付ゲージの上面図であり、(ｂ)はガイドローラ付ゲージの横断面図である。
【図４】(ａ)〜（ｆ)は、本考案による実施例の太陽光パネル用架台の施工方法を示す側面図である。
【図５】本考案による実施例の施工方法によって地盤に固定したさや管付プレートのさや管に架台用支持管を立設した状態を示す側面図である。
【図６】本考案による太陽光パネル用架台を接続箱の支持架台として利用した実施例であり、（a）は上面図、（b）は側面図である。
【図７】本考案による太陽光パネル用架台を照明灯の支持架台として利用した実施例の側面図である。
【考案を実施するための形態】
【００１９】
以下、本考案の実施例について図面を参照しながら説明する。
【実施例】
【００２０】
本考案による実施例の太陽光パネル用架台は、図１(ａ)、(ｂ)に示すさや管付プレート１と、図２(ａ)、(ｂ)に示すガイドローラ付ゲージプレート２とを使用することによって構成されている。
【００２１】
さや管付プレート１は、図１(ａ)、(ｂ)に示すように、地盤Ｇに打ち込んだポイント杭３（図４（ａ）、(ｂ)参照）を挿通する杭穴３ａを形成した円形の金属板による円形プレート４ａの中央にさや管５の下端が固定され、さや管５の上部は開口状態に形成されている。また、円形プレート４ａの面内には、さや管５の周囲の３か所に等間隔でルーズホール６が形成されている。各ルーズホール６は断面L字形のアングル杭７を遊びを有した状態で挿通することが可能なＬ字形に形成されている。
【００２２】
さらに、円形プレート４ａに形成された各ルーズホール６に沿ってポイント杭３の上部を固定するＬ型金物８が設けられている。各Ｌ型金物８は、図１(ａ)、(ｂ)に示すように、Ｌ字形を有するルーズホール６の一辺に沿ってＬ型金物８をボルト９で固定すると共に、地盤Ｇから上方に突出したアングル杭７の上端をＬ型金物８に対してボルト１０で固定することによってさや管付プレート１を地盤Ｇに固定することが可能とされている。
【００２３】
このような構成において、ルーズホール６は、上記のようにアングル杭７を遊びを有する状態で緩やかに挿通することが可能であるため、円形プレート４ａの傾斜状況を調整することができ、不陸調整が可能となる。
【００２４】
また、図１（ａ）、(ｂ)に示すように、円形プレート４ａの面上の中央に固定されたさや管５の上部には３方にねじ穴１１が形成されると共に、その外側にねじ穴１１に連通するナット１２が固定され、ボルト１３を外方からナット１２に螺入することによって、ボルト１３の内端がねじ穴１１からさや管５の内部に突出するようにしている。
【００２５】
さらに、図５に示すように、さや管５の内部に立設した架台用支持管１４とさや管５との隙間にグラウト材１５を充填することによって、グラウト材１５の硬化に伴い、上記のようにさや管５の内部に立設された架台用支持管１４が垂直性を保った状態でさや管５に一体化される。
【００２６】
一方、ガイドローラ付ゲージプレート２は、図２（ａ）、(ｂ)に示すように、円形の金属板の中央に垂直支持管１６の下端を固定した円形プレート４ｂを備え、垂直支持管１６の周囲における円形プレート４ｂの面内の３個所に等間隔でガイドホール１７が形成されている。このような構成において、垂直支持管１６は、上記のさや管付プレート１のさや管５の内部に挿通することが可能な外径を有すると共に、さや管５の長さよりも長く形成されている。また、各ガイドホール１７は、断面Ｌ字形のアングル杭７を挿通することができるようにアングル杭７の断面形状に対応した形状とされている。
【００２７】
さらに、各ガイドホール１７の左右に沿って、アングル杭７を垂直に打ち込む際の案内を行うためのガイドローラ付ゲージ１８が設けられている。各ガイドローラ付ゲージ１８は、図３（ａ）、(ｂ)に示すように、各ガイドホール１７の各辺部を挟む左右の位置であって上下の垂直位置に配されたガイドローラ１９ａ、１９ｂが軸受２０で回転自在に軸支されることにより、ガイドホール１７を挿通するアングル杭７を左右のガイドローラ１９ａ、１９ｂで挟んだ状態で回転させることによって案内するように構成されている。
【００２８】
また、図４、図５等に示すアングル杭７は、断面Ｌ字形のアングル材により形成され、下端が剣先７ａ（図５参照）の形状に形成されることによって、地中に打設する際の打ち込み易さを確保するようにしている。従って、アングル杭７を打ち込む際には、例えば、単管パイプ用打込み機で打込み作業を行うことができ、大型の重機が不要となる。
【００２９】
また、アングル杭７は、地盤の軟弱性に応じて長さを可変することが可能である。具体的には、地盤の軟弱状況に応じて、アングル杭７を地中に打設する長さを調節したり、長尺のアングル杭７を用意したり、また所定長さのアングル材を連結することによって長尺のアングル杭７を形成することにより、各アングル杭７の打設深さを調整することが可能であり、施工現場が軟弱地盤であってもアングル杭７の打込みを強固に行うことが可能となる。
【００３０】
次に、上記のさや管付プレート１とガイドローラ付ゲージプレート２とを用いた太陽光パネル用架台の施工方法について説明する。
【００３１】
まず、図４(ａ)に示すように、架台用支持管１４を立てるべき測定箇所にポント杭３を打ち込むことによって位置決めを正確に行う。次いで、図４(ｂ)に示すように、地盤Ｇから突出したポイント杭３の上部にさや管付プレート１の杭穴３ａを挿通し、さや管５の内部にガイドローラ付ゲージプレート２の垂直支持管１６を下方に向けて挿通し、立設状態にする。この状態で、各ガイドローラ付ゲージ１８は、円形プレート４ｂの下面に垂下された状態となる。なお、この時、ガイドローラ付ゲージプレート２の下部に不図示のキャンバーを挟み込むことによって、各ガイドローラ付ゲージ１８を水平とすることが可能である。
【００３２】
上記の構成により、地盤上に設置したさや管付プレートの各ルーズホール１とその上部に設置したガイドローラ付ゲージプレート２の各ガイドホール１７とが、高さ方向に離間した状態で対応した位置関係となる。
【００３３】
次いで、図４（ｄ）に示すように、各アングル杭７の先端をガイドローラ付ゲージプレート２の各ガイドホール１７からガイドローラ付ゲージ１８の左右のガイドローラ１９ａ、１９ｂ間を経て、さや管付プレート１のルーズホール６に挿通する。この状態で、ガイドローラ付ゲージプレート２の上面に水準器２５を設置し、ガイドローラ付ゲージプレート２を水平状態に調整した状態でさや管５の３方に固定されたナット１２にボルト１３をねじ込むことによって、さや管５の内部に突出したボルト１３の先端で垂直支持管１６を固定することにより、ガイドローラ付ゲージプレート２の水平状態を保持し、アングル杭７の垂直性を確保することが可能となる。
【００３４】
なお、図１（ａ）、(ｂ)に示すように、上記の垂直支持管１６を固定する際に、さや管５の３方に固定されたナット１２にねじ込むボルト１３はその頭部にリング部材１３ａを固定してあり、このリング部材１３ａを手作業でねじ込むことにより、ボルト１３のねじ込み作業を容易に行うことが可能となる。
【００３５】
次いで、上記のようにアングル杭７の垂直性を確保した状態にして、図４（ｄ）に示すように、各アングル杭７を途中まで打設した後、図４(ｅ)に示すように、ガイドローラ付ゲージプレート２を取り除いた後、各アングル杭７を単管パイプ用打込み機を用いて打設する。これらの打設作業において、アングル杭７は、ガイドローラ付ゲージ１８の左右のガイドローラ１９ａ、１９ａの回転に従動して案内されながら垂直性を保った状態でガイドホール１７を通過して地盤Ｇに打ち込まれることとなる。
【００３６】
次いで、図４(ｆ)に示すように、各アングル杭７の上部を各Ｌ型金物８のボルト孔８ａ（図１（ｂ）参照）にボルト１０を挿通してナット１０ａで固定することにより、各アングル杭７は地盤Ｇに垂直に打ち込まれた固定状態となる。
【００３７】
その後、図５に示すように、さや管付プレート１のさや管５の内部に架台用支持管１４を立設して、この架台用支持管１４の高さと垂直性を調整しながら、さや管５の外方からボルト１３をねじ込むことによって固定する。なお、このときのボルト１３は、上記のリング部材１３ａを頭部に設けたボルトを外し、通常のボルト１３を螺入することとなる。
【００３８】
次に、架台用支持管１４とさや管５との隙間にグラウト材１５を充填する。その後は、直ちに、架台用支持管１４の上端に太陽光パネルを取付ける架台の組立作業に移行することができ、その作業の経過中も、グラウト材１５の硬化によって架台用支持管１４とさや管５との一体化が進むこととなる。
【００３９】
上記の実施例において、ガイドローラ付ゲージプレート２とさや管付プレート１に使用したプレートは、共に円形プレート４ａ、４ｂを使用して３個のアングル杭７を打設する構成としてあるが、図６(ａ)、(ｂ)に示すように、プレートの形状を長方形にすることも可能である。
【００４０】
このような長方形プレート２２を使用した場合、太陽光パネルの接続箱２１等のように比較的軽量な器機を支持する場合に有用となる。また、このように長方形プレート２２を使用する場合、図６(ａ)に示すように、長方形プレート２２の中央にポイント杭３を挿入する杭穴３ａを形成し、その両端に、図１(ａ)(ｂ)に示すものと同じ構造のさや管５を設けることによって、２本支持タイプの構成とすることも可能である。
【００４１】
さらに、図７に示すように、本考案の太陽光パネル用架台を照明灯の支持架台として利用することも可能である。この場合、図１（ａ）(ｂ)に示すものと同様のさや管付プレート１を地盤Ｇの深掘りした箇所２４にアングル杭７で固定し、さや管５にＬＥＤ等の照明２３を設けた架台用支持管１４を挿入し、上記と同様のガイドローラ付ゲージプレート２を用いた方法で垂直に固定することが可能となる。
【産業上の利用可能性】
【００４２】
本考案の太陽光パネル用架台は、架台を地盤に固定するためのアングル杭の打設作業や太陽光パネルを支持する架台用支持管の垂直性を確保する作業を迅速且つ容易に進めることができ、しかも軟弱地盤に対する対策が施された構造の太陽光パネル用架台として利用可能である。
【符号の説明】
【００４３】
１  さや管付プレート
２  ガイドローラ付ゲージプレート
３  ポイント杭
３ａ  杭穴
４ａ  円形プレート
４ｂ  円形プレート
５  さや管
６  ルーズホール
７  アングル杭
７ａ  剣先
８  Ｌ型金物
８ａ  ボルト孔
９  ボルト
１０  ボルト
１０ａ  ナット
１１  ねじ穴
１２  ナット
１３  ボルト
１３ａ  リング部材
１４  架台用支持管
１５  グラウト材
１６  垂直支持管
１７  ガイドホール
１８  ガイドローラ付ゲージ
１９ａ、１９ｂ  ガイドローラ
２０  軸受
２１  接続箱
２２  長方形プレート
２３  照明
２４  深掘りした箇所
２５  水準器
Ｇ  地盤
【図１】
0003191984.tif 000003
【図２】
0003191984.tif 000004
【図３】
0003191984.tif 000005
【図４】
0003191984.tif 000006
【図５】
0003191984.tif 000007
【図６】
0003191984.tif 000008
【図７】
0003191984.tif 000009